(57)【要約】【課題】  数少ない光源を使って、より多くの発光色を発生させる道路標識システムを提供する。【解決手段】  少なくとも２種の異なる色の光をそれぞれ発する光源を具備する発光体１と、発光体１の発光色を設定する発光色設定手段２と、発光色設定手段２によって設定された発光色に従い、前記各光源の発光輝度を制御する輝度制御手段３とを備える自発光式道路標識システムである。【選択図】    図１
2005189701.tif 000002
【特許請求の範囲】
【請求項１】
少なくとも２種の異なる色の光をそれぞれ発する光源を具備する発光体と、
前記発光体の発光色を設定する発光色設定手段と、
前記発光色設定手段によって設定された発光色に従い、前記各光源の発光輝度を制御する輝度制御手段とを備えることを特徴とする自発光式道路標識システム。
【請求項２】
前記発光体は、赤色、緑色及び青色の光源を具備することを特徴とする請求項１に記載の自発光式道路標識システム。
【請求項３】
前記発光色設定手段は、
測定器からの入力、外部からの発光色の指定及び内蔵された発光色の出力パターンの何れかに基づいて発光色を設定することを特徴とする請求項１又は２に記載の自発光式道路標識システム。
【請求項４】
前記発光色設定手段は、
予め複数種の発光色が設定され、
予め設定された発光色選択条件に従って前記測定器からの入力信号の大きさと対応している発光色を選択し、
または前記外部からの発光色の指定信号に指定された発光色を選択し、
または内蔵された発光色の出力パターンに従って発光色を選択し、
前記選択された発光色と対応している発光色設定信号を出力することを特徴とする請求項１から３のいずれかに記載の自発光式道路標識システム。
【請求項５】
前記輝度制御手段には、予め設定された前記複数種の発光色と前記各発光色を合成するのに必要な各光源の輝度値との対応関係を表すデータテーブルが予め記憶され、前記データテーブルにより、前記発光色設定信号に指定された発光色と対応している前記各光源の輝度値を決定する手段を備えることを特徴とする請求項４に記載の自発光式道路標識システム。
【請求項６】
前記輝度制御手段は、パルス制御手段を備え、
前記パルス制御手段は、前記各光源の輝度値に比例するパルスの幅、又はパルスの数、又はパルスの振幅を有するパルスを発生することを特徴とする請求項１から５のいずれかに記載の自発光式道路標識システム。
【請求項７】
前記輝度制御手段は、前記各光源に電流を供給する定電流回路を備え、
前記定電流回路は、前記パルス制御手段から出力された前記パルスに制御されている電流を前記各光源へ出力することを特徴とする請求項６に記載の自発光式道路標識システム。
【請求項８】
前記輝度制御手段は、前記各光源において複数段階の輝度値とそれぞれ対応している電流値を出力する複数の定電流回路が設けられ、
予め設定された複数種の発光色と前記発光色を合成するために選択すべき前記各光源における定電流回路との対応関係を表すデータテープルが予め記憶され、
前記データテーブルにより、前記発光色設定信号に指定された発光色と対応している前記各光源における前記定電流回路が選択され、選択された前記定電流回路の出力電流が対応の光源に供給されることを特徴とする請求項５に記載の自発光式道路標識システム。
【請求項９】
複数の前記発光体は、マトリックス状に標識上に配置されることを特徴とする請求項１から８のいずれかに記載の自発光式道路標識システム。
【発明の詳細な説明】
【技術分野】
【０００１】
本発明は、発光体を具備する自発光式道路標識システムに関し、特に、異なる色の光源を具配する発光体の光源の発光輝度バランスを制御することにより、発光体の発光色を様々な色に合成し、変化させるように、豊富な色表示でより多くの情報を提供する自発光式道路標識システムに関する。
【背景技術】
【０００２】
道路利用者に対して視線誘導や警告表示などを行うための道路標識として、従来より様々な自発光式道路標識装置が適用されている。これらの自発光式道路標識は、道路の状況に応じて発光体の色等を制御するものであり、２色の異なる光を放つ発光ダイオードが一体となって形成された発光体を具備し、路面が凍結することを示す温度以上であると橙色に点滅発光させる一方、前記温度以下であると赤色に変化させて点滅させるように制御することにより、道路利用者に路面が凍結していることの注意を喚起するものが提案されている（例えば、特許文献１参照）。
【特許文献１】特開２０００−２５６５２０号公報
【発明の開示】
【発明が解決しようとする課題】
【０００３】
しかしながら、前記特許文献１に記載の自発光式標識に用いられる発光体では、２色の光源で最大３色の発光色（澄色発光ダイオード発光、赤色発光ダイオード発光、及び澄色発光ダイオードと赤色発光ダイオードの同時発光）しか実現することができず、道路標識装置として提供できる情報の量が限られているという問題点がある。本発明は、斯かる問題点を解決すべく、数少ない光源を使って、より多くの発光色を発生させる道路標識システムを提供することを課題とする。
【課題を解決するための手段】
【０００４】
前記課題を解決するために、本発明は、請求項１に記載の如く、少なくとも２種の異なる色の光をそれぞれ発する光源を具備する発光体と、前記発光体の発光色を設定する発光色設定手段と、前記発光色設定手段によって設定された発光色に従い、前記各光源の発光輝度を制御する輝度制御手段とを備えることを特徴とする自発光式道路標識システムを提供するものである。
【０００５】
請求項１に係る発明によれば、自発光式道路標識システムは、少なくとも２種の異なる色の光源を具備する前記発光体と、前記発光体の発光色を設定する発光色設定手段と、前記各光源の発光輝度を制御する輝度制御手段とを備える。前記発光体は、少なくとも２種の異なる色の光源を具備するので、これらの異なる色の光源の発光輝度をそれぞれ変化させることにより前記発光体の発光色を様々な色に変化させることができる。前記発光体の発光色を設定する発光色設定手段は、表示したい情報に応じて前記発光体の発光色を設定し、前記輝度制御手段は、前記発光色設定手段が設定した発光色に従って、前記発光体の発光色が前記設定した発光色になるように各光源の発光輝度を制御することができる。従って、本発明による自発光式道路標識システムによれば、数少ない光源を使って、より多くの発光色を提供できることができる。
【０００６】
好ましくは、請求項２に記載の如く、前記発光体は、赤色、緑色及び青色の光源を具備するように構成されている。
【０００７】
請求項２に係る発明によれば、前記発光体は、赤色、緑色及び青色の光源を具備することにより、前記発光体の発光色を任意の色に合成することができる。
【０００８】
好ましくは、請求項３に記載の如く、前記発光色設定手段は、測定器からの入力、外部からの発光色の指定及び内蔵された発光色の出力パターンの何れかに基づいて発光色を設定するように構成される。
【０００９】
請求項３に係る発明によれば、前記発光色設定手段は測定器からの入力に基づいて発光色を設定するようにすれば、例えば、気温、風速のような環境などの外界状況を反映した情報に応じて道路標識の発光色を自動的に変化させることができる。また、前記発光色設定手段は外部からの発光色の指定に基づいて発光色を設定すれば、必要に応じていつでも外部から道路標識の発光色を制御することができる。また、前記発光色設定手段は内蔵された色出力パターンに基づいて発光色を設定すれば、予め設定したスケジュールで標識の発光色を自動的に変化させることができる。
【００１０】
好ましくは、請求項４に記載の如く、前記発光色設定手段は、予め複数種の発光色が設定され、予め設定された発光色選択条件に従って前記測定器からの入力信号の大きさと対応している発光色を選択し、または前記外部からの発光色の指定信号に指定された発光色を選択し、または内蔵された発光色の出力パターンに従って発光色を選択し、前記選択された発光色と対応している発光色設定信号を出力するように構成されている。
【００１１】
請求項４に係る発明によれば、前記発光色設定手段は、必要に応じて複数種の発光色を予め設定し、予め設定された発光色選択条件に従って前記測定器からの入力信号の大きさに対応している発光色を選択し、選択された発光色に対応している発光色信号として出力することにより、測定器からの情報を反映した発光色の設定を実現することができる。また、外部からの発光色の指定信号に指定された発光色を選択し、選択された発光色に対応している発光色設定信号を出力することにより、外部からの発光色の指定を実現することができる。また、前記内蔵された発光色の出力パターンに従って発光色を選択し、選択された発光色と対応している発光色設定信号を出力することにより、内蔵された発光色の出力パターンを反映した発光色の設定を実現することができる。
【００１２】
好ましくは、請求項５に記載の如く、前記輝度制御手段には、予め設定された前記複数種の発光色と前記各発光色を合成するのに必要な各光源の輝度値との対応関係を表すデータテーブルが予め記憶され、前記データテーブルにより、前記発光色設定信号に指定された発光色と対応している前記各光源の輝度値を決定する手段を備えるように構成されている。
【００１３】
請求項５に係る発明によれば、前記輝度制御手段は、予め設定した前記複数種の発光色と前記各発光色を合成するのに必要な各光源の輝度値との対応関係を表すデータテーブルを予め用意し、前記データテーブルにより、前記発光色設定信号に指定された発光色と対応している前記各光源の輝度値を決定する手段を設けることにより、発光色設定信号に指定された発光色を合成するために必要な各光源の輝度値を簡単に迅速に決定することができる。
【００１４】
好ましくは、請求項６に記載の如く、前記輝度制御手段は、パルス制御手段を備え、
前記パルス制御手段は、前記各光源の輝度値に比例するパルスの幅、又はパルスの数、又はパルスの振幅を有するパルスを発生するように構成される。
【００１５】
請求項６に係る発明によれば、前記輝度制御手段は、パルス制御手段を備え、前記パルス制御手段は、前記各光源の輝度値に比例するパルスの幅、又はパルスの数、又はパルスの振幅を有するパルスを発生することができるため、指定された前記輝度値を反映したパルス制御信号を出力することができる。
【００１６】
好ましくは、請求項７に記載の如く、前記輝度制御手段は、前記各光源に電流を供給する定電流回路を備え、前記定電流回路は、前記パルス制御手段から出力された前記パルスに制御されている電流を前記各光源へ出力するように構成される。
【００１７】
請求項７に係る発明によれば、前記輝度制御手段は、前記各光源に電流を供給するための定電流回路を備え、前記定電流回路は、前記パルス制御手段から出力されたパルスに制御されている電流を前記各光源へ出力することにより、指定された輝度値と対応した電流値を前記発光体の各光源に供給することができるため、前記発光体の各光源の発光輝度を指定された輝度値になるように制御することができる。
【００１８】
または、請求項８に記載の如く、前記輝度制御手段は、前記各光源において複数段階の輝度値とそれぞれ対応している電流値を出力する複数の定電流回路が設けられ、予め設定された複数種の発光色と前記発光色を合成するために選択すべき前記各光源における定電流回路との対応関係を表すデータテープルが予め記憶され、前記データテーブルにより、前記発光色設定信号に指定された発光色と対応している前記各光源における前記定電流回路が選択され、選択された前記定電流回路の出力電流が対応の光源に供給されるように構成される。
【００１９】
請求項８に係る発明によれば、前記輝度制御手段は、前記各光源において複数段階の輝度値とそれぞれ対応している電流値を出力する複数の定電流回路が設けられ、更に、予め設定された複数種の発光色と前記発光色を合成するために選択すべき前記各光源における定電流回路との対応関係を表すデータテープルが予め記憶されているため、前記データテーブルを利用すれば、前記発光色設定信号に指定された発光色と対応している前記各光源における前記定電流回路が迅速に選択され、そして、選択された定電流回路の出力電流が対応の光源に供給されることにより設定された発光色を合成することができる。
【００２０】
または、請求項９に記載の如く、複数の前記発光体は、マトリックス状に標識上に配置されるように構成される。
【００２１】
請求項９に係る発明によれば、前記発光体をマトリックス状に標識上に配置することにより、標識の発光色を変化することができるだけではなく、異なる色を同時に表示することができるので、色豊富な文字又は絵の表示を実現することが可能になる。
【発明の効果】
【００２２】
以上に説明したように、本発明による自発光式道路標識によれば、数少ない光源でより多くの発光色を表示することを実現することが可能になる。又は、発光色の指定は、外部入力、測定器の入力又は内蔵された発光色の出力パターンのいずれかに基づくため、様々な必要に応じて道路標識の発光色を制御することが可能になる。さらに、複数の発光体をマトリックス状に道路標識上に配置することにより、標識の発光色を変化することができるだけではなく、異なる発光色を同時に表示することができる。従って、本発明の自発光式道路標識システムによれば、様々な応用目的に応じられ、より豊富な情報を提供することができる道路標識を実現することができる。
【発明を実施するための最良の形態】
【００２３】
以下、添付図面を参照しつつ、本発明の実施形態について説明する。
【００２４】
図１は、本発明の一実施形態に係る自発光式道路標識システム（以下、適宜本システムという）の概略構成を示すプロック図である。図１に示すように、本システムは、それぞれ異なる色の光源を複数具備する発光体１と、発光体１の発光色を指定するための発光色設定手段２と、発光色設定手段２に設定された発光色に従って発光体１が具備する各色の光源に供給する電流を制御することによりその光源の発光輝度を制御する輝度制御手段３とを備える。
【００２５】
図２は、本システムを道路上に設置した状態を示す概略構成図である。図２に示すように、発光体１は、道路沿いに設置された標識板４に取り付けられており、ケーブル８によってアナログ回路盤６と接続されている。アナログ回路盤６は、通信手段７によってパーソナルコンピュータ（以下、ＰＣという）５と接続されている。ここで、色設定手段２と輝度制御手段３の一部とは、ＰＣ５内にインストールされたソフトウェアによって構成されており、当該ソフトウェアによって後述する処理が実行される。また、ＰＣ５から出力輝度制御信号は、通信手段７を介してアナログ回路盤６内に設置された輝度制御手段６の残りの一部に伝送され、当該輝度制御手段６の残りの一部から出力される電流は、ケーブル８を介して発光体１を構成する各光源に伝送される。
【００２６】
次に、図１に示す本システムの各構成要素についてより詳細に説明する。
【００２７】
図３は、本システムの発光色設定手段２によって実行される処理の手順を概略的に示すブロック図である。前述したように、発光色設定手段２の処理は図２に示すＰＣ５内にインストールされたソフトウェアにより実現される。本実施形態の発光色設定手段２による発光色設定処理としては、外部からの発光色の指定により発光色を設定する処理２２と、測定器（例えば、温度センサー、速度センサー、光センサーなど）からの入力により発光色を設定する処理２３と、内蔵された発光色の出力パターンにより発光色を設定する処理２４とが選択可能とされている。発光色設定手段２による発光色の設定に際しては、先ず２１に示す発光色設定処理の選択処理が実行される。より具体的には、選択する発光色設定処理と対応する値（I〜III）をＰＣ５の具備するキーボード等により入力する。Iが入力された場合、２２に示す処理が実行される。より具体的には、予め設定された複数の発光色とそれぞれ対応する発光色指令値がＰＣ５の具備するキーボード等により入力されると、その入力指令値と対応している発光色設定信号が出力される。IIが入力された場合、２３に示す処理が実行される。より具体的には、予め決められた色選択条件に従って発光色が設定される。例えば、測定器からの入力値はある特定の値より小さい場合に緑色の発光色が選択され、緑色の発光色と対応している発光色設定信号が出力され、測定器からの入力値はある特定な値を超えた場合に黄色の発光色が選択され、黄色の発光色と対応している発光色設定信号が出力される。IIIが入力された場合、２４に示す処理が実行される。より具体的には、予め記憶されている発光色の出力パターンに従って発光色が選択される。例えば、１時〜１７時には黄色の発光色が選択され、黄色の発光色と対応している発光色設定信号が出力され、１７時〜２４時には赤色の発光色が選択され、赤色の発光色と対応している発光色設定信号が出力される。
【００２８】
図４は、本システムの輝度制御手段３の第１実施形態の構成を示すブロック図である。本実施形態において、発光体を構成する光源は赤色、緑色、青色（以下、Ｒ、Ｇ、Ｂと称する）とする。図４に示すように、本実施形態の輝度制御手段３には、各色の光源へ電流を供給する電流回路３３と、電流の大きさを制御する輝度パルス制御回路３２と、発光体全体の発光状態を制御する動作操作回路３４と、各光源の輝度値を決定する輝度値決定部３１とが備えられている。輝度パルス制御回路３２と、動作操作回路３４と、電流回路３３とが図２に示すアナログ回路盤６に設定されているが、輝度値決定部３１は図２に示すＰＣ５内にインストールされたソフトウェアによって実現される。
【００２９】
輝度値決定部３１には、予め設定された複数種の発光色とそれらの発光色を合成するのにそれぞれ必要な各光源の輝度値との対応関係を表すデータテーブルが予め記憶されている。輝度値決定部３１は、発光色設定手段２から発光色設定信号を受け取ると、前記データテーブルにより、設定された発光色と対応しているＲ光源の輝度値、Ｇ光源の輝度値、Ｂ光源の輝度値をそれぞれ選択して出力する。出力されたＲ光源の輝度値、Ｇ光源の輝度値、Ｂ光源の輝度値は通信手段７によりＰＣ５からアナログ盤６に設置されている輝度パルス制御回路３２に送られる。
【００３０】
輝度パルス制御回路３２は、Ｒ光源の輝度パルス制御回路３２aと、Ｇ光源の輝度パルス制御回路３２bと、Ｂ光源の輝度パルス制御回路３２cとが備えられている。一方、動作操作回路３４は、発光体１の点灯、消点或いは点滅状態、及び発光体１の発光強度を制御するパルス信号を発生し、同一の動作パルス（図５、図６、図７に示す）信号を輝度パルス制御回路３２a、３２b、３２cに出力する。Ｒ光源の輝度パルス制御回路３２aは、Ｒ光源の輝度値の入力信号を受け取り、当該輝度値に比例したパルス幅、或いはパルス数、或いはパルス振幅を有するパルス（図５）を発生し、さらに当該パルスを動作操作回路３４から入力された前記動作パルスと「ＡＮＤ」演算した結果(図５に示す)をＲ光源のパルス制御信号として出力する。同様に、Ｇ光源の輝度パルス制御回路３２ｂは、Ｇ光源の輝度値の入力信号を受け取り、当該輝度値に比例したパルス幅、或いはパルス数、或いはパルス振幅を有するパルス（図６）を発生し、さらに当該パルスを動作操作回路３４から入力された前記動作パルスと「ＡＮＤ」演算した結果(図６に示す)をＧ光源のパルス制御信号として出力し、Ｂ光源の輝度パルス制御回路３２ｃは、Ｂ光源の輝度値の入力信号を受け取り、当該輝度値に比例したパルス幅、或いはパルス数、或いはパルス振幅を有するパルス（図７）を発生し、さらに当該パルスを動作操作回路３４から入力された前記動作パルスと「ＡＮＤ」演算した結果(図７に示す)をＢ光源のパルス制御信号として出力する。
【００３１】
電流回路３３には、Ｒ光源に電流を供給するＲ光源の電流回路３３aと、Ｇ光源に電流を供給するＧ光源の電流回路３３bと、Ｂ光源に電流を供給するＢ光源の電流回路３３cとが備えられている。Ｒ光源の電流回路３３aは、入力されたＲ光源のパルスに制御されている交流電流（Ｒ電流）をＲ光源に供給する。同様に、Ｇ光源の電流回路３３bは、入力されたＧ光源のパルスに制御されている交流電流（Ｇ電流）をＧ光源に供給し、Ｂ光源の電流回路３３cは、入力されたＢ光源のパルスに制御されている交流電流（Ｂ電流）をＢ光源に供給する。
【００３２】
図８は、本システムの輝度制御手段３の第２実施形態の構成を示すブロック図である。本実施形態において、発光体を構成する光源も赤色、緑色、青色（以下、Ｒ、Ｇ、Ｂと称する）とする。図８に示すように、本実施形態の輝度制御手段３には、各光源へ電流を供給する電流回路（３３Ａ１、３３Ａ２及び３３Ａ３）と、電流回路を選択する電流回路決定部３１Ａと、発光体１の発光状態を制御する動作操作回路３４Ａとが備えられている。電流回路（３３Ａ１、３３Ａ２及び３３Ａ３）と動作回路３４Ａは図２に示すアナログ回路盤６に設置されているが、電流回路決定部３１Ａは図２に示すＰＣ５にインストールされているソフトウェアにより実現される。
【００３３】
前記電流回路は、Ｒ光源に電流を出力するための定電流回路３３Ａ１と、Ｇ光源に電流を出力するための定電流回路３３Ａ２と、Ｂ光源に電流を出力するための定電流回路３３Ａ３とを具備する。更に、定電流回路３３Ａ１は、お互いに異なる出力電流値を有する定電流回路のＲ光源の電流回路１と、Ｒ光源の電流回路２と、Ｒ光源の電流回路３とを具備し、これらの定電流回路のいずれかの出力が選択されてＲ光源へ出力される。同様に、定電流回路３３Ａ２は、お互いに異なる出力電流値を有する定電流回路のＧ光源の電流回路１と、Ｇ光源の電流回路２と、Ｇ光源の電流回路３とを具備し、これらの定電流回路のいずれかの出力が選択されてＧ光源へ出力され、定電流回路３３Ａ３は、お互いに異なる出力電流値を有する定電流回路のＢ光源の電流回路１と、Ｂ光源の電流回路２と、Ｂ光源の電流回路３とを具備し、これらの定電流回路のいずれかの出力が選択されてＢ光源へ出力される。
【００３４】
前記各光源における各定電流回路の出力電流値は、予め設定された複数の発光色をそれぞれ合成するために必要な各光源のそれぞれの輝度値と対応するように予め設定されている。電流回路決定部３１Ａには、予め設定された複数種の発光色と各発光色を合成するために選択すべき各光源における定電流回路との対応関係を表すデータテープルが予め記憶されている。電流回路決定部３１Ａには、発光色設定手段２から発光色設定信号を受け取り、前記データテーブルにより、設定された発光色と対応している定電流回路を各光源からそれぞれ一つを選択し、選択された各定電流回路へ動作信号を出力する。これらの動作信号は通信手段７によりＰＣ５からアナログ盤６に設置されている各光源における選択された定電流回路に送られる。
【００３５】
動作操作回路３４Ａは、発光体全体の点灯、消点或いは点滅状態及び発光強さを制御するための動作パルスを均一に、各定電流回路（Ｒ光源の電流回路１〜３、Ｇ光源の電流回路１〜３、Ｂ光源の電流回路１〜３）へ送る。各光源における各定電流回路（Ｒ光源の電流回路１〜３、Ｇ光源の電流回路１〜３、Ｂ光源の電流回路１〜３）の中に、前記動作信号を受け取った定電流回路のみは、電流を発生し、発生された電流を入力された前記動作パルスの制御下で、各自と対応している光源へ出力する。
【００３６】
図９は、本発明に係る発光体１の構成図を示す構成図である。図９に示すように、発光体１は図１に示すように道路沿いに設置されている道路標識４の上に設置されている。本実施形態の発光体１は、Ｒ光源とする一つ以上の赤色のＬＥＤ１aと、Ｇ光源とする一つ以上の緑色のＬＥＤ１bと、Ｂ光源とする一つ以上の青色のＬＥＤ１cとを備える。ＬＥＤ１a、ＬＥＤ１b、及びＬＥＤ１cは、輝度制御手段３の第１の実施形態において電流回路３３a、３３b、及び３３c、または輝度制御手段３の第２の実施形態において電流回路３３Ａ１、３３Ａ２、３３Ａ３から供給されているＲ光源の電流、Ｇ光源の電流、Ｂ光源の電流により、赤色、緑色、及び青色の光を発する。ＬＥＤ１a、ＬＥＤ１b、及びＬＥＤ１cの発光輝度値は、それぞれ供給されている電流に比例する。発光体１の発光色は、ＬＥＤ１a、ＬＥＤ１b、及びＬＥＤ１cのそれぞれの発光輝度値によって決められる。  
【００３７】
図１０は、複数の発光体１をマトリックス状に配置した実施形態を示す構成図である。このようにマトリックス状に配置された発光体装置を図２に示す道路標識４上に配置し、各発光体１の発光色を前述したように制御すれば、異なる発光色を同時に標識板４に表示することはできる。即ち、一つの道路標識は色の変化により情報を提供することだけではなく、同時に多色の文字や、絵などの表示により情報を提供することも可能になる。
【図面の簡単な説明】
【００３８】
【図１】図１は、本発明の一実施形態に係る自発光式道路標識システムの概略構成を示すプロック図である。
【図２】図２は、本システムを道路上に設置した状態を示す概略構成図である。
【図３】図３は、本システムの発光色設定手段２によって実行される処理の手順を概略的に示すブロック図である。
【図４】図４は、本システムの輝度制御手段３の第１実施形態の構成を示すブロック図である。
【図５】図５は、Ｒ光源のパルスの生成を示すパルス波形図である。
【図６】図６は、Ｇ光源のパルスの生成を示すパルス波形図である。
【図７】図７は、Ｂ光源のパルスの生成を示すパルス波形図である。
【図８】図８は、本システムの輝度制御手段３の第２実施形態の構成を示すブロック図である。
【図９】図９は、本発明に係る発光体１の構成図を示す構成図である。
【図１０】図１０は、複数の発光体１をマトリックス状に配置した実施形態を示す構成図である。
【符号の説明】
【００３９】
１        発光体
１ａ      赤色のＬＥＤ
１ｂ      緑色のＬＥＤ
１ｃ      青色のＬＥＤ
２        発光色設定手段
２１      発光色設定処理の選択処理
２２      外部からの発光色の指定により発光色を設定する処理
２３      測定器からの入力により発光色を設定する処理
２４      内蔵された発光色の出力パターンにより発光色を設定する処理
３        輝度制御手段
３１      輝度値決定部
３１Ａ    電流回路決定部
３２      輝度パルス制御回路
３２ａ    Ｒ光源の輝度パルス制御回路
３２ｂ    Ｇ光源の輝度パルス制御回路
３２ｃ    Ｂ光源の輝度パルス制御回路
３３      電流回路
３３Ａ１  Ｒ光源の電流回路
３３Ａ２  Ｇ光源の電流回路
３３Ａ３  Ｂ光源の電流回路
４        標識板
５        パーソナルコンピュータ（ＰＣ）
６        アナログ回路盤
７        通信手段
８        ケーブル
【図１】
2005189701.tif 000003
【図２】
2005189701.tif 000004
【図３】
2005189701.tif 000005
【図４】
2005189701.tif 000006
【図５】
2005189701.tif 000007
【図６】
2005189701.tif 000008
【図７】
2005189701.tif 000009
【図８】
2005189701.tif 000010
【図９】
2005189701.tif 000011
【図１０】
2005189701.tif 000012